(57)【要約】      （修正有）【課題】汗を吸い取って吸収する汗取り機能だけでなく、汗がブラジャーやブラウスなどの上着に染み込んで汗染みの原因になることを防ぐ汗止め機能を備えた汗取り汗止め用肌着を提供する。【解決手段】前身頃１０の生地に、表地と裏地との間に透湿防水フィルムが介在された接着織物を用いる。前身頃１０及び後身頃２０の脇腹で湾曲した上縁部１３に吸汗パッド４０を連設する。吸汗パッド４０にも接着織物を用いる。前身頃１０の襟ぐり１２を、前身頃１０の上に重ねて着用したブラジャーによって覆われる深さの深いＵ字形に形成する。【選択図】図１
0003231935.tif 000002
【実用新案登録請求の範囲】
【請求項１】
胸部及び上腹部を含む身体部位に着用される汗取り汗止め用肌着であって、
前身頃の生地に、表地と裏地との間に透湿防水フィルムが介在された接着織物が用いられてなることを特徴とする汗取り汗止め用肌着。
【請求項２】
着用状態において前身頃が上腹部の肌に密着するように形成されている請求項１に記載した汗取り汗止め用肌着。
【請求項３】
前身頃及び後身頃のうちの少なくとも後身頃の生地にフライス編みの布地が用いられている請求項１又は請求項２に記載した汗取り汗止め用肌着。
【請求項４】
アームホールの下側に位置している前身頃及び後身頃の脇腹の湾曲した上縁部に吸汗パッドが連設されてなる請求項１ないし請求項３のいずれか１項に記載した汗取り汗止め用肌着。
【請求項５】
上記吸汗パッドに、表地と裏地との間に透湿防水フィルムが介在された接着織物が用いられてなる請求項４に記載した汗取り汗止め用肌着。
【請求項６】
前身頃及び吸汗パッドのそれぞれの表地と裏地とのうちの少なくとも裏地に速乾吸水加工が施されている請求項４又は請求項５に記載した汗取り汗止め用肌着。
【請求項７】
前身頃の襟ぐりが、この前身頃の上に重ねて着用されるブラジャーによって覆われる深さの深いＵ字形に形成されている請求項１ないし請求項６のいずれか１項に記載した汗取り汗止め用肌着。
【考案の詳細な説明】
【技術分野】
【０００１】
本考案は、汗取り汗止め用肌着、特に、発汗により身体の肌に生じた汗がブラジャーやブラウスなどの着衣に染み込んで汗染みの原因になることを防ぐ機能を備えた汗取り汗止め用肌着に関する。
【背景技術】
【０００２】
発汗により身体の肌に生じた汗が、身体の前胸、胸元、脇下、脇腹などから伝い落ちたりして様々な不快感を感じる原因になることがある。女性、特に汗かきの女性にとっては、身体の胸元や脇下、脇腹などを伝い落ちる汗が、強い不快感を生じさせたり、身に着けているブラジャーやブラウスなどの着衣に染み込んで汗染みを生じさせたりすることが大きな悩みになっていることも多い。
【０００３】
このような状況の下で、女性用インナーウェアなどの肌着では、肌着素材に本来的に備わっている吸水性による汗取り作用だけでなく、肌着素材自体によって発揮される汗取り作用を補完することができる手段として、身体の胸元や脇下といった一定部位に生じる汗を吸い取って吸収するという「汗取り機能」を持つ手段を特別に使用することが行われている。たとえば、先行例では、身体に着用するブラジャーに別途に汗取りパッドを装着しておき、この汗取りパッドにより胸下を伝い落ちる汗を吸い取らせて爽快性を損なわないようにするための対策についての記述がある（特許文献１参照）。また、他の先行例には、インナーウェアに脇下の汗を吸い取る吸汗部を別途に設けることが提案されている（特許文献２参照）。
【先行技術文献】
【特許文献】
【０００４】
【特許文献１】特開２０１３−００７１４８号公報
【特許文献２】特開２００８−８８５９８号公報
【考案の概要】
【考案が解決しようとする課題】
【０００５】
しかしながら、上掲の特許文献１によって提案されている対策は、胸元を伝い落ちる汗をブラジャーに装着した汗取りパッドによって吸い取らせて吸収させるに過ぎないため、汗を吸い取った汗取りパッドからブラジャーに汗が染み出したり、ブラジャーに染み出た汗がブラウスなどの上着に染み込んで汗染みを生じたりすることを防ぎきることができない。また、上掲の特許文献２によって提案されているインナーウェアは、脇下の汗を吸汗部によって吸い取らせることができるに過ぎないため、吸汗部に吸い取られた汗がブラウスなどの上着に染み込んで汗染みを生じたりすることを防ぐきることができないだけでなく、インナーウェア自体に染み込んだ汗がそのインナーウェアから染み出てブラウスなどの上着に汗染みを生じさせることを防ぐことができない。このように、先行例に記載されている技術では、発汗により身体の肌に生じた汗を汗取りパッドや吸汗部により吸い取らせて吸収させることができるけれども、吸収した汗がブラジャーやブラウスなどの上着に染み出て汗染みを生じさせることを防ぐきることができないため、ブラジャーやブラウスなどの上着に生じる汗染みを防ぐための対策としては不十分である、という問題点があった。
【０００６】
本考案は、以上の問題点に鑑みてなされたものであり、発汗により身体の肌に生じた汗を肌着素材に本来的に備わっている吸水性（吸汗性）による汗取り作用に加えて、肌着素材自体によって発揮される汗取り作用を補完することができる「汗取り機能」や、汗がブラジャーやブラウスなどの上着に染み込んで汗染みの原因になることを防ぐという「汗止め機能」を発揮する汗取り汗止め用肌着を提供することを目的としている。
【課題を解決するための手段】
【０００７】
本考案に係る汗取り汗止め用肌着は、胸部及び上腹部を含む身体部位に着用される汗取り汗止め用肌着であって、前身頃の生地に、表地と裏地との間に透湿防水フィルムが介在された接着織物が用いられてなる、というものである。
【０００８】
この考案において、前身頃の生地に用いられている接着織物は、表地と透湿防水フィルムと裏地との３枚合わせ構造を有していて、表地と透湿防水フィルムと裏地との３者が、接着剤塗布や溶着、縫着（縫い合わせ）などの手段を用いて接着されている織物を指す。また、この接着織物は、透湿防水フィルムの透湿防水特性により、気体である湿気や水蒸気は透して逃がすけれども、汗のような水分は通さずに遮断するという性質を示す。このため、この考案に係る汗取り汗止め用肌着の前身頃の生地に関しては、発汗により身体の肌に生じた汗が、接着織物の裏地などの肌着素材に本来的に備わっている吸水性（吸汗性）による汗取り作用によって「汗取り機能」を発揮するだけでなく、透湿防水フィルムの透湿防水特性によって、湿気を逃がして爽快性を保ちつつ、汗が接着織物の表地に染み出ることを防ぐという「汗止め機能」を発揮する。したがって、この肌着を、胸部及び上腹部を含む身体部位に着用した上で、その上からブラジャーやブラウスなどの上着を着用しておくと、汗を肌着の生地が吸い取って吸収するにもかかわらず、肌着の生地に吸い取られた汗がブラジャーやブラウスなどの上着に染み込んで汗染みを生じるという事態が起こらなくなる。
【０００９】
本考案に係る汗取り汗止め用肌着では、着用状態において前身頃が上腹部の肌に密着するように形成されていることが望ましい。これによると、胸元から胸の谷間（中央部）を伝い落ちる汗が、上腹部の肌に密着している前身頃の生地により堰き止められて前身頃の裏地などによって吸い取られる。このため、胸元から伝い落ちる汗が下腹部などに達して不快感を感じるということが防止される。
【００１０】
本考案では、前身頃及び後身頃のうちの少なくとも後身頃の生地にフライス編みの布地が用いられていることが望ましい。フライス編みはゴム編みの一種であり、最も一般的な天竺編み（メリヤス編み）と比べると、横方向への伸縮性に富んでいる。したがって、この考案の肌着は、身体の動きに追従しやすいという利点がある。この点に関し、前身頃の生地に上記した接着織物を用いた場合、ややもすると接着織物が肌着の伸縮性を制限する作用を発揮するために前身頃がそれだけ身体の動きに追従しにくくなる傾向が生じるけれども、後身頃ではフライス編みの特性によって良好な追従性が確保されているので、肌着全体としては身体の動きに対する追従性が大きく損なわれることはない。
【００１１】
本考案では、アームホールの下側に位置している前身頃及び後身頃の脇腹の湾曲した上縁部に吸汗パッドが連設されてなるという構成を採用することが可能である。アームホールとは、肌着が備えている腕を通す部分を指す。そして、この構成によれば、吸汗パッドが自然に脇下に沿うようになって上着を着用するときのじゃまになりにくい。また、脇の汗が吸汗パッドにより吸収されて不快感が軽減される。
【００１２】
本考案では、上記吸汗パッドに、表地と裏地との間に透湿防水フィルムが介在された接着織物が用いられてなることが望ましい。この構成を採用しておくと、上記した前身頃に用いられている接着織物によって発揮されるものと同様の「汗取り機能」と「汗止め機能」とが吸汗パッドによっても発揮されるので、脇の汗がブラジャーやブラウスなどの上着に染み込んで汗染みを生じるという事態が起こらない。
【００１３】
本考案では、前身頃及び吸汗パッドのそれぞれの表地と裏地とのうちの少なくとも裏地に速乾吸水加工が施されていることが望ましい。これによれば、当該肌着が汗でベタベタと身体にまとわりついたり蒸れてしまったりするという不快感が軽減される。
【００１４】
本考案では、前身頃の襟ぐりが、この前身頃の上に重ねて着用されるブラジャーによって覆われる深さの深いＵ字形に形成されていることが望ましい。これによれば、前身頃の襟ぐりが前身頃の上に重ねて着用されるブラジャーによって覆い隠されるのでファッション性を高めやすいだけでなく、前身頃が、脇下から胸元に至る胸の膨らみを押し潰すことなく汗をかきやすい部分のみを覆う形態になるために、胸への圧迫感をそれほど感じずに心地よく着用することができるようになる。
【考案の効果】
【００１５】
以上のように、本考案に係る汗取り汗止め用肌着は、発汗により身体に生じた汗を吸収する「汗取り機能」だけでなく、汗がブラジャーやブラウスなどの上着に染み込んで汗染みの原因になることを防ぐ「汗止め機能」を発揮するので、発汗に伴う不快感を軽減させられるだけでなく、汗がブラジャーやブラウスなどの上着に汗染みを生じさせることを防ぐことが可能になる。これにより、ブラジャーやブラウスなどの上着に汗染みが人目につくこともなくなる。
【図面の簡単な説明】
【００１６】
【図１】本考案の実施形態に係る汗取り汗止め用肌着の正面図である。
【図２】同肌着の背面図である。
【図３】吸汗パッドの展開図である。
【図４】裏返しに折り返された吸汗パッドを示した斜視説明図である。
【図５】接着織物の説明図である。
【図６】使用状態の正面視説明図である。
【考案を実施するための形態】
【００１７】
図１は本考案の実施形態に係る汗取り汗止め用肌着１００の正面図、図２は同肌着１００の背面図、図３は吸汗パッド４０の展開図である。
【００１８】
図１及び図２に示した肌着１００はノースリーブタイプであって、前身頃１０及び後身頃２０、左右の肩紐３０，３０、左右の吸汗パッド４０，４０などを備えている。前身頃１０と後身頃２０とは、左右の脇腹１１，１１で縦方向に縫着されている。また、前身頃１０及び後身頃２０との間に亘って左右の上記肩紐３０，３０が設けられていて、前身頃１０における左右の肩紐３０，３０との連結箇所の相互間部分、及び、後身頃２０における左右の肩紐３０，３０との連結箇所の相互間部分によって襟ぐり１２，２２が形成され、前身頃１０側では襟ぐり１２が深さの深いＵ字形に形成されているのに対して、後身頃２０側では襟ぐり２２が深さの浅い湾曲形に形成されている。さらに、前身頃１０及び後身頃２０における脇腹１１，１１の湾曲した上縁部１３，２３は深さの深いＵ字形に形成されていて、この上縁部１３，２３に吸汗パッド４０が縫着されている。図３に示したように、吸汗パッド４０は下半部の外縁部４１が上記上縁部１３，２３に縫着されているのに対して、展開した状態では上半部の外縁部によって山形が形作られている。なお、符号５０は、前身頃１０及び後身頃２０の下端部に縫着された装飾用レースを示している。
【００１９】
図４は裏返しに折り返された吸汗パッド４０を示した斜視説明図、図５は接着織物１１０の説明図、図６は使用状態の正面視説明図である。
【００２０】
上記した肌着１００は、図６に例示したように、左右それぞれの肩紐３０を身体の左右それぞれの肩Ｓに掛け、肩紐３０と前身頃１０及び後身頃２０の各上縁部１３，２３によって囲まれた左右それぞれのアームホール１０１（図１又は図２参照）に身体の左右の腕Ａを通した状態で着用される。この着用時において、発汗により前胸や胸元、胸脇、脇下などで生じた汗は、肌着の１００の前身頃１０と肌の間を伝い落ちたり脇腹を伝い落ちたりする。
【００２１】
そこで、この肌着では、前胸や胸元、胸脇などの身体の各部位で生じた汗を適切に処理することに役立つ幾つかの対策が講じられている。すなわち、肌着１００における前身頃１０の生地として、図５に説明的に示した接着織物１１０を用いている。同様に、吸汗パッド４０の生地としても、図５に説明的に示した接着織物１１０を用いている。
【００２２】
図５に例示した接着織物１１０は、表地１１１と裏地１１２との間にシート状の透湿防水フィルム１１３が介在された３枚合わせ構造を有している。表地１１１や裏地１１２には、綿、ポリウレタン、ポリエステル、といった一般的に肌着素材に用いられている生地が使用されている。これに対して、透湿防水フィルム１１３には、気体になった粒子径の小さな湿気や水蒸気は透して逃がすけれども、それよりも粒子径の大きな汗のような水分は通さずに遮断するという透湿防水特性を示す透湿ポリウレタンフィルムが使用されている。このような吸湿透水布は市販されていて、ある種の市販品は、薄手でしなやかな肌触りの光沢のない透湿ポリウレタンフィルムによって形成されている。したがって、上記接着織物１１０は、表地１１１や裏地１１２が汗を吸い取って吸収するという「汗取り機能」を発揮することに加えて、透湿防水フィルム１１３が、その透湿防水特性によって、特に裏地１１２に染み込んだ汗が表地１１１側へ染み出ることを防ぐ「汗止め機能」を発揮する。
【００２３】
吸汗パッド４０は、図４のように裏返しになるように外側へ折り返された形態で、図６のように脇下に挟まれて腕Ａに沿うように配備される。このため、脇下の汗が接着織物１１０でなる吸汗パッド４０の「汗取り機能」により吸い取られて吸収されるようになり、べたべたとするような不快感が軽減されたり、脇下の汗が脇腹に伝い落ちたりすることが防止される。さらに吸汗パッド４０に採用されている接着織物１１０の透湿防水特性によって、吸汗パッド４０の表地から汗が染み出ることを防ぐ「汗止め機能」を発揮する。
【００２４】
この肌着１００は、図６のように身体の胸部及び上腹部に直接に着用した肌着１００の上からブラジャー２００を着用することを基本としている。このため、前身頃１０に採用されている接着織物１１０によって発揮される上記した「汗止め機能」によってブラジャー２００に汗染みを生じることが防止される。また、ブラジャー２００を肌着１００の上に着用しても、前身頃１０の襟ぐり１２が深さの深いＵ字形に形成されていてブラジャー２００によって覆い隠されるために、ブラジャー２００の谷形部分から襟ぐり１２が露出してファッション性を損なうという不都合が起こらないという利点がある。その上、前身頃１０が、胸脇から胸下に至る胸の膨らみを押し潰すことなく汗をかきやすい部分のみを覆う形態になるために、胸への圧迫感を感じずに着用することができるようになる。また、吸汗パッド４０に用いられている接着織物１１０の汗止め機能により、吸汗パッド４０の表地から汗が染み出てブラジャー２００に汗染みを生じさせるという事態も起こらない。
【００２５】
さらに、この肌着１００では、前身頃１０の表地及び裏地と後身頃２０の生地とにフライス編みの肌着素材である布地が用いられている。フライス編みは、ゴム編みの一種であって横方向への伸縮性に富んでいる。したがって、この肌着１００は、横方向への伸縮性に富み、身体の動きに追従しやすいために、ブラジャー２００の下に着用しても圧迫感を感じにくいという利点がある。この点に関し、前身頃１０の生地に上記した接着織物１１０を用いているために、前身頃１０は後身頃２０に比べて、それだけ身体の動きに追従しにくくなる傾向が生じるけれども、後身頃２０ではフライス編みの特性によって良好な追従性が確保されているので、全体として身体の動きに対する追従性が大きく損なわれることはない。
【００２６】
また、この肌着１００では、着用状態において前身頃１０が上腹部の肌に密着するように形成されている。このため、胸元から胸の谷間を伝い落ちる汗が、上腹部の肌に密着している前身頃１０の生地により堰き止められて前身頃１０の裏地などによって吸い取られる。このため、胸元から伝い落ちる汗が下腹部などに達して不快感を感じるということが防止される。
【００２７】
このほか、この肌着１００では、前身頃１０及び吸汗パッド４０のそれぞれの裏地に速乾吸水加工が施されている。速乾吸水加工は、生地に汗を素早く吸収させるという機能と、汗を吸った生地の乾きを早くする機能と、を付与する加工であり、生地を染めるときに速乾・吸水助剤を添加することにより行われる。この速乾吸水加工は、肌着１００が汗でベタベタと身体にまとわりついたり蒸れてしまったりするという不快感を軽減して、サラッとした着心地を持続させることに役立つ。
【００２８】
この実施形態では、後身頃２０の生地にフライス編みの布地が用いられている事例を説明したけれども、この点は、前身頃１０の表地１１１及び裏地１１２と後身頃２０の生地との両方にフライス編みの布地を用いてもよいことは勿論であり、また、上記した速乾吸水加工を、前身頃１０及び吸汗パッド４０のそれぞれの表地１１１と裏地１１２の両方に施しておいてもよいことは勿論である。
【００２９】
本願考案者は、本考案に係る肌着による「汗取り機能」及び「汗止め機能」を確認することを意図して次に説明する実験を行った。この実験で用いた肌着では、前身頃を形成している接着織物の表地及び裏地に、一般的な肌着素材であるところの綿６９％、ポリエステル２５％、ポリウレタン６％の混紡素材を用い、上記接着織物の透湿防水フィルムに透湿ポリウレタンフィルムを用いた。吸汗パッド４０を形成している接着織物にもこれと同様の混紡素材及び透湿防水フィルムを用いた。さらに、後身頃２０にもこれと同様の混紡素材を用いた。この肌着の前身頃１０の裏地１１２と片側の吸汗パッド４０の裏地に対して、スポイドにより水を５ｃｃずつゆっくりと注ぎ、前身頃１０や吸汗パッド４０を形成している接着織物の表地及び裏地の湿り具合を目視及び触感によって観察した。
【００３０】
この実験の結果、前身頃や吸汗パッドの裏地が水分を吸い取って湿っていることが見た目でも触感でも確認されたけれども、前身頃１０では合計で８０ＣＣ、片側の吸汗パッド４０では合計で１５ｃｃまでであれば、それらの表地は、見た目も触感でもまったく濡れていないことを確認することができた。これにより、当該肌着による「汗取り機能」及び「汗止め機能」を確認することができた。
【符号の説明】
【００３１】
１０  前身頃
１３  前身頃の脇腹で湾曲した上縁部
２３  後身頃の脇腹で湾曲した上縁部
４０  吸汗パッド
１２  前身頃の襟ぐり
１００  汗取り汗止め用肌着（肌着）
１０１  アームホール
１１０  接着織物
１１１  表地
１１２  裏地
１１３  透湿防水フィルム
２００  ブラジャー
【図１】
0003231935.tif 000003
【図２】
0003231935.tif 000004
【図３】
0003231935.tif 000005
【図４】
0003231935.tif 000006
【図５】
0003231935.tif 000007
【図６】
0003231935.tif 000008